(57)【要約】【課題】表面処理済みワークの乾燥装置において、乾燥時間が短く、均一な乾燥ができ、また装置としての小型化、低廉化、低ランニングコスト化が図れるようにする。【解決手段】バスケットホルダー７と、これを回転自在に保持する回転台６と、回転台６に回転動力を伝える回転駆動部１１とを有し、バスケットホルダー７にはその回転軸心を取り囲む外周箇所に複数の吸引フィンが設けられ、各吸引フィンは、翼面が上記径方向に向けられ、バスケットホルダー７の回転時にはバスケット１０上方から内部を介し周壁１０ｂから外方へ出る空気吸い込み流を発生可能な傾斜で形成されている。【選択図】図１
2007085630.tif 000002
【特許請求の範囲】
【請求項１】
表面処理済みワークの乾燥に用いる通気性バスケット（１０）を支持可能であって且つ載せたり取り出したりが自在となったバスケットホルダー（７）と、このバスケットホルダー（７）を回転自在に保持する回転台（６）と、この回転台（６）を介して上記バスケットホルダー（７）に回転動力を伝える回転駆動部（１１）とを有し、
バスケットホルダー（７）にはその回転軸心から径方向へ離れた位置付けであって且つ回転軸心を取り囲む複数箇所に当該バスケットホルダー（７）と一体回転する吸引フィン（３１）が設けられており、
この吸引フィン（３１）は、翼面が上記径方向に向けられて当該翼面に沿った通気性が確保されていると共にバスケットホルダー（７）の回転時には保持状態のバスケット（１０）上方からバスケット（１０）内を介しバスケット（１０）の周壁（１０ａ）乃至底面（１０ｂ）を透過して外方へ出る空気吸い込み流を発生可能な翼面傾斜を有して形成されていることを特徴とする表面処理済みワークの乾燥装置。
【請求項２】
前記バスケットホルダー（７）は、バスケット（１０）の底面（１０ｂ）を受載する支持盤（２０）と、この支持盤（２０）の外周部からバスケット（１０）の周壁（１０ａ）に係合可能な高さで突設された振れ止め部材（２１）とを有しており、このうち振れ止め部材（２１）の高さ領域内に側部開放部（２５）が設けられ、この側部開放部（２５）に前記吸引フィン（３１）が設けられていることを特徴とする請求項１記載の表面処理済みワークの乾燥装置。
【請求項３】
前記バスケットホルダー（７）は、バスケット（１０）の底面（１０ｂ）を受載する支持盤（２０）と、この支持盤（２０）の外周部からバスケット（１０）の周壁（１０ａ）に係合可能な高さで突設された振れ止め部材（２１）とを有しており、このうち支持盤（２０）の高さ領域内に側部開放部（２５）が設けられ、この側部開放部（２５）に前記吸引フィン（３１）が設けられていることを特徴とする請求項１記載の表面処理済みワークの乾燥装置。
【請求項４】
前記バスケットホルダー（７）に対しその上方からバスケット（１０）の保持位置へ向けて強制的に温風を吹き込む温風送給部（１３）が設けられていることを特徴とする請求項１乃至請求項３のいずれかに記載の表面処理済みワークの乾燥装置。
【請求項５】
前記吸引フィン（３１）は複数枚の並びを一まとめに連結したフィンブロック（３０）として形成され、このフィンブロック（３０）がバスケットホルダー（７）に対して着脱自在になっていることを特徴とする請求項１乃至請求項４のいずれかに記載の表面処理済みワークの乾燥装置。
【発明の詳細な説明】
【技術分野】
【０００１】
本発明は、メッキなどの表面処理工程内において好適に使用可能な表面処理済みワークの乾燥装置に関するものである。
【背景技術】
【０００２】
メッキなどの表面処理を行った後の乾燥工程で用いる乾燥機として、遠心脱水法を採用したものが各種提案されている（例えば、特許文献１等参照）。この種の乾燥機は、表面処理済みワークの乾燥に用いる通気性バスケットを支持可能であって、且つ載せ降ろし自在としたバスケットホルダーと、このバスケットホルダーを回転自在に保持する回転台と、この回転台を介してバスケットホルダーに回転動力を伝える回転駆動部とを有している。
バスケットホルダーは、パンチングメタルなどによって形成された有底円筒形とされているのが普通であり、その周壁が通気性を有している。遠心脱水法は、他の乾燥方法（電磁波乾燥法、熱風乾燥法、エア乾燥法、真空乾燥法、溶剤置換乾燥法など）に比して乾燥時間が比較的速い点で好適とされている。
【０００３】
なお、上記した以外の乾燥方法を採用した乾燥機として、バスケット内へ高圧熱風を吹き込むための送風手段を有した静置型の乾燥機も知られている（例えば、特許文献２等）。
【特許文献１】特開昭６０−２９４９８号公報
【特許文献２】特開平９−７２６５９号公報
【発明の開示】
【発明が解決しようとする課題】
【０００４】
遠心脱水を行う乾燥機では、物温（ワークの温度）を一定にするのが難しいという側面があった。このことは、亜鉛メッキ後、ユニクロやクロメートなどの色づけを行った表面処理済みワークを乾燥する場合などにおいて、ワークが小さいときにはバスケット容量単位で、またワークがある程度大きいときには個々のワークの中で、発色を一定に保ちにくいという問題に繋がる。
また乾燥速度に関しては、遠心脱水が他の乾燥方法に比べて優れているとは言っても、本来は速ければ速いほどよいといった要請があるために、改善の余地は十分に残っている。但し、乾燥速度は単に速ければよいというものではなく、均一乾燥であることが前提になっており、仮に一滴の乾燥残りでも発生すればそこがシミとして残ってしまう。すなわち、一気乾燥でなければならないということがある。
【０００５】
一方、バスケット内へ高圧熱風を吹き込む静置型の乾燥機（上記特許文献２）では、高圧熱風を発生させるために強力型の高圧ブロワーや大容量ヒータを必要とし、装置の大型化、装置製作コストの高騰化、ランニングコストの高騰化など、種々の問題を有していた。
本発明は、上記事情に鑑みてなされたものであって、乾燥時間が短く、均一な乾燥ができ、また装置としての小型化、低廉化、低ランニングコスト化が図れるようにした表面処理済みワークの乾燥装置を提供することを目的とする。
【課題を解決するための手段】
【０００６】
前記目的を達成するために、本発明は次の手段を講じた。
即ち、本発明に係る表面処理済みワークの乾燥装置では、表面処理済みワークの乾燥に用いる通気性バスケットを支持可能であって且つ載せたり取り出したりが自在となったバスケットホルダーと、このバスケットホルダーを回転自在に保持する回転台と、この回転台を介してバスケットホルダーに回転動力を伝える回転駆動部とを有している。
そしてバスケットホルダーには、その回転軸心から径方向へ離れた位置付けであって、且つ回転軸心を取り囲む複数箇所に、このバスケットホルダーと一体回転する吸引フィンが設けられている。この吸引フィンは、翼面が上記径方向に向けられて、この翼面に沿った通気性が確保されている。またこの吸引フィンは、バスケットホルダーの回転時には、保持状態のバスケット上方からバスケット内を介しバスケット周壁乃至底面を透過して外方へ出る空気流れを発生可能な翼面傾斜を有して形成されている。
【０００７】
このような構成であるから、バスケットホルダーにバスケットを保持させた状態でバスケットを回転させれば、バスケットホルダーと一緒に回転する吸引フィンにより、バスケットの上方から、バスケット内を通気路の一部としつつバスケットの周壁や底面から外方へ出るような空気吸い込み流が発生することになる。従って、バスケット内に入れられた表面処理済みワークは、バスケットの回転による遠心力を受けると同時に、空気吸い込み流に積極的且つ強制的に曝されることになる。
またバスケット内を通気路とした空気吸い込み流は、バスケット内の雰囲気（表面処理済みワークの周囲環境）を常に新鮮な空気に入れ替える作用をもたらし、結果、バスケット内から湿気を伴った空気を強制的に排除することに繋がるために、ワークの迅速乾燥や均一乾燥にとって有益となる。従って、バスケット内のワークは、遠心力に伴う水分の吹き飛ばし作用と、空気流接触による気化作用とを同時に受けて、迅速且つ均一に乾燥されることになる。
【０００８】
なお、バスケットホルダーはその一例として、バスケットの底面を受載する支持盤と、この支持盤の外周部からバスケットの周壁に係合可能な高さで突設された振れ止め部材とを有したものとできる。この場合、振れ止め部材の高さ領域内（全高さ領域でも一部領域でもよい）に側部開放部を設けて、この側部開放部に吸引フィンを設けるようにすることができる。また支持盤の高さ領域内に側部開放部を設けて、この側部開放部に吸引フィンを設けるようにすることもできる。
これらの構造を採用することにより、バスケットホルダーが、それ自体の周壁部を排気通路とするものとなり、いわゆるシロッコファンを構成する。
【０００９】
このようなシロッコファン構成を採用することで、構造の簡潔化、小型化が図れる。また装置製作コストの低廉化も図れる。言うまでもなく、空気吸い込み流の発生効率に優れていることが立証済みのシロッコファンであることから、運転上のランニングコストも低コスト化が図れることが判る。
バスケットホルダーに対しその上方からバスケットの保持位置へ向けて強制的に温風を吹き込む温風送給部を設けるのが好適である。このようにすることで、吸引フィンによって発生される空気吸い込み流が温風となり、表面処理済みワークの迅速乾燥や均一乾燥にとって一層有益となる。
【００１０】
吸引フィンは、複数枚の並びを一まとめに連結したフィンブロックとして形成することができる。この場合、このフィンブロックは、ボルト連結などの構造を採用して、バスケットホルダーに対して着脱自在とするのが好適である。
このようにすることで、吸引フィンの欠けやヒビ、曲がり等が生じたときに、該当する吸引フィンの交換が、この吸引フィンを含んだフィンブロックごとの交換として、簡単且つ迅速に行える利点がある。また、この構造であると、バスケット内へ入れるワークの種類が変わったときに、フィンブロックの交換作業によって空気吸い込み流の強弱を所望に応じて簡単に調節することができる。
【発明の効果】
【００１１】
本発明に係る表面処理済みワークの乾燥装置では、乾燥時間が短く、均一な乾燥ができるようになる。また装置としての小型化、低廉化、低ランニングコスト化が図れる。
【発明を実施するための最良の形態】
【００１２】
以下、本発明の実施の形態を、図面に基づき説明する。
図１乃至図５は、本発明に係る表面処理済みワークの乾燥装置１における第１実施形態を示している。図１及び図２に示すように、この乾燥装置１は、ベース３の上部に載設された装置筐体４内で脱水室５が形成され、この脱水室５に回転台６を介してバスケットホルダー７が設けられた構造である。このバスケットホルダー７に対し、表面処理済みワークの入ったバスケット１０を載せたり取り出したりできるようになっている。
回転台６は、バスケットホルダー７に結合された回転部６Ａと、この回転部６Ａを支持しつつベース３上に結合された台座部６Ｂとを有したもので、これら回転部６Ａと台座部６Ｂとの間が相対回転自在となっている。装置筐体４において脱水室５の外部には電動モータ等の回転駆動部１１が設けられ、この回転駆動部１１と回転台６の回転部６Ａとの間がＶベルトとＶプーリとの組み合わせ等より成る伝動手段１２によって連動回転可能に連結されている。
【００１３】
また装置筐体４において脱水室５の外部側方には温風送給部１３が設けられており、この温風送給部１３で発生された温風がダクト１４を介してバスケットホルダー７に保持されたバスケット１０内へ吹き込まれるようになっている。温風の温度は、ワークの材質、質量（体積）、表面積、形状、バスケット１０へ入れる量などによっても変わるが、おおよそ５０℃〜６０℃とすればよい。温風送給部１３にて温風を発生させるための熱源には、ガスバーナ、オイルバーナ、電気ヒータなどを採用すればよく、また蒸気熱を利用する方法なども採用できる。
【００１４】
このようにこの乾燥装置１は、表面処理済みワークの入ったバスケット１０を高速回転させ、遠心脱水法によるワーク乾燥を行うものである。また、遠心脱水中のバスケット１０内へ温風を吹き込んで、ワークに残った僅かな水分をも一気に気化させるようになっている。
なお装置筐体４には上方へ揺動開閉する蓋１５が設けられており、バスケット１０からのワークの飛び出しや遠心脱水中の水滴の飛散、温風の放逸や熱拡散などを防止できるようになっている。
【００１５】
バスケット１０はパンチングメタル又は網材等により有底で広口の短円筒形状に形成されており、その周壁１０ａや底面１０ｂは通気性を有している。形成素材にはステンレスを用いるのが好適である。
バスケットホルダー７は、バスケット１０の底面１０ｂを受載する支持盤２０と、この支持盤２０の外周部からバスケット１０の周壁に係合可能な高さで突設された振れ止め部材２１とを有している。
図３及び図４に示すように、支持盤２０はバスケット１０の底面１０ｂより一回り径大な円盤とされ、その上面にはゴム板等の緩衝材２２が設けられている。また振れ止め部材２１は支持盤２０の外周部に沿って互いに所定間隔をおいて立設されたポスト２３と、これらのポスト２３によって所定高さに持ち上げ支持されたホルダートップ２４とを有している。ホルダートップ２４は、バスケット１０の周壁１０ａに外嵌するリング状のものとして形成することができる。なおこれに限定されず、周方向の複数箇所で分断された複数片によりそれらの集合体として形成されたものでもよい。
【００１６】
この振れ止め部材２１には、支持盤２０の上面とホルダートップ２４の下面との上下間（振れ止め部材２１の高さ領域内）であって、且つ互いに隣接するポスト２３によって区画された側部開放部２５が形成されていることになる。
このバスケットホルダー７に対してバスケット１０を載せると、バスケット１０の底面１０ｂがバスケットホルダー７の支持盤２０上面（緩衝材２２）に面接触すると共に、バスケット１０の周壁１０ｂがバスケットホルダー７における振れ止め部材２１のホルダートップ２４に取り囲まれ、もって、バスケットホルダー７の回転時にはバスケット１０も一体回転する状態とされる。振れ止め部材２１に設けられた上記側部開放部２５は、このとき、バスケット１０の周壁１０ａを外方へ露呈させる（通気性を持たせる）位置付けとなっている。
【００１７】
バスケットホルダー７において、振れ止め部材２１の各側部開放部２５にはそれぞれ、縦型の通気ガラリのような形状をしたフィンブロック３０が設けられている。本実施形態では、振れ止め部材２１のポスト２３が８本設けられ、側部開放部２５が８箇所形成されているので、フィンブロック３０の配置箇所も、バスケットホルダー７の回転軸心を取り囲んだ計８箇所に配されていることになる。
図５に示すように、各フィンブロック３０は、複数枚（図例では５枚）の吸引フィン３１が互いに所定間隔をおいて（隙間を確保させて）並設されたものである。各吸引フィン３１は両端部を上方及び下方へ向けて（要するに縦長の姿勢で）設けられ、これら上端部同士及び下端部同士が連結板３２に溶接等によって連結されている（図４参照）。各連結板３２は、ボルト３３によって振れ止め部材２１に取り付けられており、従ってバスケットホルダー７が回転するとき、全てのフィンブロック３０（即ち、全ての吸引フィン３１）もバスケットホルダー７と一体回転する。
【００１８】
各吸引フィン３１は、それらの翼面がバスケットホルダー７の回転軸心から径方向に伸びる方向に沿うように向けられている。従って、フィンブロック３０には、各吸引フィン３１の隣接間に、各吸引フィン３１の翼面に沿った通気性が確保されていることになる。
また各吸引フィン３１は、バスケットホルダー７の回転時には、このバスケットホルダー７に保持された状態にあるバスケット１０の上方からバスケット１０内を介し、バスケット１０の周壁１０ｂから外方へ出る空気吸い込み流を発生可能な翼面傾斜を有して形成されている。
【００１９】
このようにバスケットホルダー７は支持盤２０を閉塞底板とし、振れ止め部材２１を周壁とする有底短円筒形を呈していることになるが、振れ止め部材２１にフィンブロック３０（複数の吸引フィン３１）が組み込まれた構造であるから、このバスケットホルダー７の回転時には全フィンブロック３０が排気通路として作用し、バスケットホルダー７全体がシロッコファンを構成していることになる。
このような構成を具備した本発明に係る乾燥装置１において、バスケットホルダー７にワークの入ったバスケット１０を保持させ、装置筐体４の蓋１５を閉め、この状態で回転駆動部１１によってバスケットホルダー７を回転させたとする。また同時に、温風送給部１３によって温風を発生させたとする。
【００２０】
これにより、バスケットホルダー７及びこれに保持されたバスケット１０とが一体で回転し、またこれらと一緒にフィンブロック３０（吸引フィン３１）が回転する。従って、吸引フィン３１の回転により、バスケット１０の上方からバスケット１０内を通気路の一部とし、バスケット１０の周壁１０ａから外方へ出るような空気吸い込み流が発生されることになる。この空気吸い込み流は温風送給部１３からの温風（５０〜６０℃程度）である。
従って、バスケット１０内に入れられた表面処理済みワーク（図４中に符号Ｗで示す）は、バスケット１０の回転による遠心力を受けると同時に、空気吸い込み流（温風）に積極的且つ強制的に曝されることになる。バスケット１０内を通気通路とした空気吸い込み流は、バスケット１０内の雰囲気（ワークＷの周囲環境）を常に新鮮な空気に入れ替える作用をもたらし、結果、バスケット１０内から湿気を伴った空気を強制的に排除することに繋がるために、ワークＷの迅速乾燥や均一乾燥にとって有益となる。
【００２１】
これらのことから、バスケット１０内のワークＷは遠心力に伴う水分の吹き飛ばし作用と、空気流（温風）接触による気化作用とを同時に受けて、迅速且つ均一に乾燥される。そのため、ワークＷがメッキ後に発色処理を施したものである場合には、一定の発色が得られ、シミが残ることもない。
本発明に係る乾燥装置１は、シロッコファンの構成となっており、構造の簡潔化、小型化、装置製作コストの低廉化が図れている。また、空気吸い込み流の発生効率に優れているために、運転上のランニングコストも低コストとなる。
【００２２】
図６は、本発明に係る乾燥装置１の第２実施形態を示している。この第２実施形態の乾燥装置１が上記第１実施形態と最も異なるところは、バスケットホルダー７において、支持盤２０が厚さの分厚いものとして形成されており、この厚さ内（高さ領域内）に吸引フィン３１が設けられている点にある。
なお、吸引フィン３１は、振れ止め部材２１におけるホルダートップ２４の下部（バスケット１０の底面１０ｂからはみ出す位置）だけでなく、バスケット１０の底面１０ｂを受載し得る位置までの長さを有して形成されたものとしてある。従って、全吸引フィン３１の上端でバスケット１０を支持するようなかたちとなっている。
【００２３】
図７は、本発明に係る乾燥装置１の第３実施形態を示している。この第３実施形態の乾燥装置１も、バスケットホルダー７において、支持盤２０が厚さの分厚いものとして形成され、この厚さ内（高さ領域内）に側吸引フィン３１が設けられている。吸引フィン３１は、バスケット１０の底面１０ｂを受載する領域だけで設けられ、ホルダートップ２４の下部へは及ばないかたちとなっている。
このような第３実施形態の乾燥装置１は、ワークＷが比較的大きい場合など、バスケット１０内において底部側への通気が確保し易いときに好適である。
【００２４】
ところで、本発明は、上記各実施形態に限定されるものではなく、実施の形態に応じて適宜変更可能である。
例えば吸引フィン３１は、回転軸心に沿う方向の長さを長くするほど空気吸い込み作用を強くするうえで好適であるが、どの程度、長くするかは、ワークの材質、質量（体積）、表面積、形状、バスケット１０へ入れる量などによって判断すればよく、この判断に基づき、第１実施形態で示したものより長くしたり短くしたり、或いは第２実施形態や第３実施形態で示したものを選択したりすればよい。
【００２５】
吸引フィン３１は、フィンブロック３０として存在させる必要はなく、バスケットホルダー７自体の構造の一部として組み込むこともできる。第１実施形態で言えば、振れ止め部材２１のホルダートップ２４を吸引フィン３１によって支える構造として、ポスト２３を省略する構造にすることができる。場合によっては、ホルダートップ２４自体も省略して、吸引フィン３１の形状、大きさ及びその並びなどをバスケット１０の周壁１０ａに合わせて、吸引フィン３１自体が振れ止め部材２１をも兼用する構造にすることができる。
バスケットホルダー７を回転させる回転軸心は、鉛直方向とする場合に限らず、傾斜させてもよい。
【図面の簡単な説明】
【００２６】
【図１】本発明に係る乾燥装置の第１実施形態を示した側面図である。
【図２】図１のＡ−Ａ線矢視図である。
【図３】図２のＢ−Ｂ線断面図である。
【図４】図３のＣ−Ｃ線に相当した断面図である。
【図５】図３のＤ部拡大図である。
【図６】本発明に係る乾燥装置の第２実施形態を示した要部側面図である。
【図７】本発明に係る乾燥装置の第３実施形態を示した要部側面図である。
【符号の説明】
【００２７】
１  乾燥装置
６  回転台
７  バスケットホルダー
１０  バスケット
１０ａ  周壁
１０ｂ  底面
１１  回転駆動部
１３  温風送給部
２０  支持盤
２１  振れ止め部材
２５  側部開放部
３０  フィンブロック
３１  吸引フィン
【図１】
2007085630.tif 000003
【図２】
2007085630.tif 000004
【図３】
2007085630.tif 000005
【図４】
2007085630.tif 000006
【図５】
2007085630.tif 000007
【図６】
2007085630.tif 000008
【図７】
2007085630.tif 000009